(57)【要約】【課題】顎および／または頬を上方に吊り上げて、その弛みを矯正する矯正具の提供。【解決手段】顎および頬を覆うように中間部１が上端部２および下端部３に比べて幅広に形成された一対の本体４と、一対の本体４の下側を連結する下部連結体５と、上側を連結する上部連結体６とを有し、それらの少なくとも一方が伸縮自在に調整される。【選択図】　　　　図１
0003097413.tif 000002
【実用新案登録請求の範囲】
【請求項１】
夫々顎および頬を覆うように中間部（１）　が上端部（２）　および下端部（３）　に比べて幅広に形成された一対の本体（４）　と、
一対の前記本体（４）　の顎側間を連結する下部連結体（５）　と、
一対の前記本体（４）　の頭側間を連結する上部連結体（６）　と、
を具備し、
下部連結体（５）　と上部連結体（６）　との少なくとも一方の長さが伸縮自在に調整される顎および／または頬の弛み矯正具。
【請求項２】
請求項１において、
前記本体（４）　は、顎および頬の外周にほぼそった凹曲面形状を有する顎および／または頬の弛み矯正具。
【請求項３】
請求項１または請求項２において、
夫々の前記本体（４）　の内面に弾力性のあるパット（７）　が配置される顎および／または頬の弛み矯正具。
【考案の詳細な説明】
【０００１】
【考案の属する技術分野】
本考案は、顎および／または頬の弛みを矯正する矯正具に関する。
【０００２】
【従来の技術】
頬の弛みを矯正するために、顔面の皮膚を伸ばすバンドが提案されている。（例えば、特許文献１参照。）。
これは、顔面の額上部から後頭部付近にかけてヘアーバンド状に取付けることができる伸縮自在な第１の帯状体と、左右何れか一方を耳たぶ付近に固定し、顎部分を介して他方の耳たぶ付近で着脱できる伸縮自在な第２の帯状体とを有する。そして、第１の帯状体の額上方中心から後頭部衿付近にかけて着脱自在に伸縮可能な第３の帯状体を設け、顔面を上下および左右両側方向から引っ張って皮膚を張り詰めた状態に保ち、その結果、顔面の皮膚を伸ばして弛みを矯正するものである。
【０００３】
【特許文献１】
特開昭６０−８３６０８号公報
【０００４】
【考案が解決しようとする課題】
前記の顔面皮膚のばし用バンドは、頬の一部を上方に引き伸ばす効果はあるものの、頬全体を持ち上げることができず、バンドとそれ以外の部分にかえって皺が生じるおそれがある。
そこで本考案は、顎および／または頬の弛みを確実に矯正することができる矯正具を提供することを課題とする。
【０００５】
【課題を解決するための手段】
請求項１に記載の本考案は、夫々顎および頬を覆うように中間部（１）　が上端部（２）　および下端部（３）　に比べて幅広に形成された一対の本体（４）　と、
一対の前記本体（４）　の顎側間を連結する下部連結体（５）　と、
一対の前記本体（４）　の頭側間を連結する上部連結体（６）　と、
を具備し、
下部連結体（５）　と上部連結体（６）　との少なくとも一方の長さが伸縮自在に調整される顎および／または頬の弛み矯正具である。
【０００６】
請求項２に記載の本考案は、請求項１において、
前記本体（４）　は、顎および頬の外周にほぼそった凹曲面形状を有する顎および／または頬の弛み矯正具である。
【０００７】
請求項１または請求項２において、
夫々の前記本体（４）　の内面に弾力性のあるパット（７）　が配置される顎および／または頬の弛み矯正具である。
【０００８】
【考案の実施の形態】
次に、図面に基づき本考案の実施の形態を説明する。
図１は本考案の顎および／または頬の弛み矯正具の使用状態を示す側面図であり、図２はその正面図、図３は同矯正具に用いられる一方の本体４であり、図４は他方の本体４である。また、図５は一対の本体４の内部に保持されるパット７である。
この弛み矯正具は、一対の本体４と、その一対の本体４の顎側間を連結する下部連結体５と、頭側間を連結する上部連結体６と、一対の本体４内に保持されるパット７とを有する。
【０００９】
一対の本体４は図３および図４に示す如く、左右対称形に形成され、夫々片方づつの顎および頬の外周にほぼそった凹曲面形状を有する。その各横断面は図３（Ｂ）〜（Ｄ）の如く形成される。即ち、夫々は図３（Ａ）のＢ−Ｂ，Ｃ−Ｃ，Ｄ−Ｄ，Ｅ−Ｅ断面図である。これは、顎や頬を抱持するに十分な幅および形状を有し、本体４の中間部１がその上端部２および下端部３よりも幅広に形成されている。そして上端部２，下端部３の端部に夫々スリット４ａが設けられ、そこに下部連結体５，上部連結体６が係止される。
このような本体４は、ある程度の剛性と可撓性とを有する皮材やゴム材・プラスチック材等から形成することができる。
【００１０】
次に、上部連結体６は図１および図２に示す如く、頭の頂部を保持するように形成され、その一端が一方の本体４の上側スリット４ａに係止され、他方の端部が他方の本体４の上側スリット４ａに挿通され、公知の面ファスナを介し上部連結体６の長さを調節自在に形成する布ベルトからなる。即ち、上部連結体６の少なくとも一方には面ファスナ付きバンド９が形成されている。この面ファスナは公知のものであり、それを折り返したとき、対向面の一方側に多数の小さなフック状の係合部が設けられ、他方側にそれを係止する多数の輪状の小さな係止部が設けられているものである。
なお、上部連結体６自体を伸縮自在なゴムバンドから形成することもできる。
【００１１】
次に、下部連結体５は比較的幅の狭いバンドからなり、その一方の端部に面ファスナ付きバンド９が設けられている。そして下部連結体５の一方側を一方の本体４の下側スリット４ａに係止し、他方側の面ファスナ付きバンド９を他方の本体４の下側スリット４ａに挿通し、面ファスナによって上部連結体６と同様にその長さを調節自在にするものである。なお、これらの連結体の長さ調節手段は、上記の例に限定されるものではなく、各種公知の長さ調節手段を採用できる。
【００１２】
次に、パット７は柔軟な薄い発泡体またはゴム等からなり、好ましくはその弾性が弱、中、強の３種用意し、好みのものを用いることができる。また夏期においては、それを冷蔵庫等で冷却して使用することができ、冬季においては温めて使用することができる。そしてそれを顎および頬に接触させるこにより、血行を促し、新陳代謝を促進して顎や頬等の弛みを矯正することができる。また、発砲体等の弾性体でパット７を形成することにより、頬や顎全体を刺激し、それらの血行を促進することができる。さらには、パット７に化粧水を含ませてもよい。それにより肌を活性化させることができる。また、パット７に香り成分を塗布することにより、癒しの効果を期待することもできる。
なお、そのパット７の外周には布、特に絹布を被覆することができ、それにより肌触りのよいものとすることができる。
【００１３】
このパット７は、その平面が図５（Ａ）で、その横断面は図５（Ｂ）の如く形成される。即ち、平面において中央部がくびれ、両端部が膨らむメガネ状に形成されている。このパット７は一対の本体４内に図２の如く介装され、そのパット７の内面が直接顎および頬に接触するものである。
【００１４】
【考案の作用・効果】
本考案の矯正具は、一対の本体４の中間部１がその上端部２，下端部３に比べて幅広に形成されているため、顎および頬を確実に抱持し、それを上方に持ち上げて筋肉を引締め、顎および／または頬の弛みを矯正することができる。
さらに下部連結体５と上部連結体６との少なくとも一方の長さが伸縮自在に調整されるものであるから、各人に合わせてそれを調整することができ、一対の本体４を最適位置に保持し、弛みの矯正効果を高めることができる。
【００１５】
上記構成において、本体４の形状を顎および頬の外周にほぼそった凹曲面形状とすることができる。この場合には、さらに弛みの矯正効果が高い。
上記構成において、本体４の内面に弾力性のあるパット７を配置することができる。それにより、顎および頬に全体的により密着し、使い勝手の良い矯正具となり得る。
【図面の簡単な説明】
【図１】図１は本考案の顎および／または頬の弛み矯正具の使用状態を示す側面図。
【図２】同矯正具の正面図。
【図３】同矯正具に用いられる一方の本体４の平面図およひ各断面図。
【図４】同矯正具に用いられる他方の本体４の平面図。
【図５】同矯正具に用いられるパット７の平面図および断面図。
【符号の説明】
１　中間部
２　上端部
３　下端部
４　本体
４ａ　スリット
５　下部連結体
６　上部連結体
７　パット
９　面ファスナ付きバンド
【図１】
0003097413.tif 000003
【図２】
0003097413.tif 000004
【図３】
0003097413.tif 000005
【図４】
0003097413.tif 000006
【図５】
0003097413.tif 000007